(57)【要約】【課題】回転速度が急激に低下した場合であっても、回転速度の値が急激に変化する可能性を未然に低減することが可能となる。【解決手段】スクリュー１０と一体となって回転する被検出部２２を検出手段２４が検出して検出信号を発信すると、この検出信号を受信し、検出信号の間隔時間を算出する。このとき、先の被検出部２２が検出されてから次の被検出部２２が検出されるまでの検出時間が予め定められた検出限界時間より短い場合には、回転速度が算出される。一方、検出時間が検出限界時間より長い場合には、検出限界時間経過時に、仮回転速度算出処理ルーチンがＣＰＵによって割り込み処理され、仮回転速度が算出される。【選択図】図１
2015166687.tif 000002
【特許請求の範囲】
【請求項１】
スクリューの側面方向に突出し、前記スクリューと一体となって回転する複数の被検出部と、
前記スクリューの回転に伴って、複数の前記被検出部をそれぞれ検出し、前記被検出部を検出したことを示す検出信号を出力する検出手段と、
前記検出手段から出力された検出信号に基づいて、前記検出信号と連続する前記検出信号との間隔を検出間隔時間として算出する検出間隔時間算出手段と、
連続する前記検出信号の間隔に基づいて前記スクリューの回転速度を算出する回転速度算出手段と、
予め定めた所定の検出限界時間に基づいて、前記スクリューの回転速度を算出する仮回転速度算出手段と、
を備え、
複数の前記被検出部のうちの１つを検出した後に、前記検出限界時間前に他の前記被検出部を検出した場合には、前記回転速度算出手段を用いて前記スクリューの回転速度を算出し、前記検出限界時間後に他の被検出部を検出した場合には、前記検出限界時間経過時に前記仮回転速度算出手段を用いて前記スクリューの回転速度を算出することを特徴とする、
回転速度検出装置。
【請求項２】
前記検出限界時間は、直前の検出間隔時間の値の１０５％以上１１５％以下の値であることを特徴とする、
請求項１に記載の回転速度検出装置。
【請求項３】
複数の前記検出部は、前記スクリューの回転軸から等距離となる位置であって、かつ、隣接する前記被検出部同士がなす角度が等角となる位置に設けられていることを特徴とする、
請求項１又は２に記載の回転速度検出装置。
【請求項４】
前記算出手段は、前記回転速度を算出した際、前記回転速度が予め定められた正常回転速度範囲に含まれない場合には、光源を点灯することで異常を報知することを特徴とする、
請求項１〜３に記載の回転速度検出装置。
【請求項５】
請求項１〜４のいずれか１項に記載の回転速度検出装置と、
スクリューと、
を備えたことを特徴とする、
回転速度検出装置付きスクリュー。
【請求項６】
スクリューの側面方向に突出し、前記スクリューと一体となって回転する複数の被検出部と、前記スクリューの回転に伴って、複数の前記被検出部をそれぞれ検出し、前記被検出部を検出したことを示す検出信号を出力する検出手段と、前記検出手段から出力された検出信号に基づいて、前記検出信号と連続する前記検出信号との間隔を検出間隔時間として算出する検出間隔時間算出手段と、連続する前記検出信号の間隔に基づいて前記スクリューの回転速度を算出する回転速度算出手段と、予め定めた所定の検出限界時間に基づいて、前記スクリューの回転速度を算出する仮回転速度算出手段と、を備えた、回転速度検出装置を用いて回転速度を検出する回転速度検出方法において、
前記被検出部の１つを検出した後、次に検出される前記被検出部の１つを検出するまでの時間を検出する検出ステップと、
複数の前記被検出部のうちの１つを検出した後に、前記検出限界時間前に他の前記被検出部を検出した場合には、前記回転速度算出手段を用いて前記スクリューの回転速度を算出し、前記検出限界時間後に他の被検出部を検出した場合には、前記検出限界時間経過時に前記仮回転速度算出手段を用いて前記スクリューの回転速度を算出する回転速度算出ステップと、
を含むことを特徴とする、
回転速度検出方法。
【発明の詳細な説明】
【技術分野】
【０００１】
本発明は、回転速度検出装置及び回転速度検出装置を用いた回転速度検出方法に関する。
【背景技術】
【０００２】
従来、回転速度を検出するための回転速度検出装置として、種々の回転速度検出装置が知られている。例えば、特許文献１には、センサ２個を任意の位置に配置し、任意の回転次成分ないしは検出誤差を解消した回転速度を検出することができる回転速度検出装置が記載されている。この回転速度検出装置では、モータの回転力を伝達する回転伝達機構に連結されたスクリューの回転軸を中心に環状に配設した複数の被検出部と、スクリューの回転時に検出部を検知するために第１の検出器と第２の検出器を有し、第１の検出器に対して第２の検出器を回転軸の中心に角度θを成すように配設した検出手段と、第１の回転速度と第２の回転速度の差分速度を求める回転速度差分手段と、差分速度から回転周期変動を生成する周期変動生成手段と、回転周期変動の振幅を１／２ｓｉｎ（θ／２）倍に補正する振幅補正手段と、回転周期変動の位相を（π−θ）／２だけ進めて補正する位相補正手段と、を備えている。
【先行技術文献】
【特許文献】
【０００３】
【特許文献１】特開２００６−１６３１９９号公報
【発明の概要】
【発明が解決しようとする課題】
【０００４】
しかしながら、こうした回転速度検出装置の出力結果は、検出器で検出した回転速度に基づいて回転速度の差分速度を検出するものであるため、回転速度が急速に低下した場合等、直前で検出した差分速度と比較して次に検出する差分速度が遅い場合には、出力される回転速度の値が急速に低下することになる。このため、出力された回転速度の値に応じて制御する場合には、回転速度の微少な変化に対応することができないという課題がある。
【０００５】
本発明は、このような課題に鑑みなされたものであり、回転速度が急激に低下した場合であっても、回転速度検出装置から出力される回転速度の値が急激に変化する可能性を未然に低減することができる回転速度検出装置及びこの回転速度検出装置を用いた回転速度検出方法を提供することを主目的とする。
【課題を解決するための手段】
【０００６】
本発明は、上述の主目的を達成するために以下の手段を採った。
【０００７】
本発明の回転速度検出装置は、
スクリューの側面方向に突出し、前記スクリューと一体となって回転する複数の被検出部と、
前記スクリューの回転に伴って、複数の前記被検出部をそれぞれ検出し、前記被検出部を検出したことを示す検出信号を出力する検出手段と、
前記検出手段から出力された検出信号に基づいて、前記検出信号と連続する前記検出信号との間隔を検出間隔時間として算出する検出間隔時間算出手段と、
連続する前記検出信号の間隔に基づいて前記スクリューの回転速度を算出する回転速度算出手段と、
予め定めた所定の検出限界時間に基づいて、前記スクリューの回転速度を算出する仮回転速度算出手段と、
を備え、
複数の前記被検出部のうちの１つを検出した後に、前記検出限界時間前に他の前記被検出部を検出した場合には、前記回転速度算出手段を用いて前記スクリューの回転速度を算出し、前記検出限界時間後に他の被検出部を検出した場合には、前記仮回転速度算出手段を用いて前記スクリューの回転速度を算出することを特徴とする、
ものである。
【０００８】
この回転速度検出装置では、スクリューと一体となって回転する複数の被検出部を検出手段が検出して検出信号を発信すると、この検出信号の間隔に基づいて検出間隔時間算出手段が検出間隔時間を算出する。このとき、１の被検出部が検出されてから次の被検出部が検出されるまでの検出時間が予め定められた検出限界時間より短い場合には、検出間隔時間に基づいてスクリューの回転速度を算出し、１の被検出部が検出されてから次の被検出部が検出されるまでの検出時間が検出限界時間より長い場合には、検出限界時間経過時に検出限界時間に基づいてスクリューの仮の回転速度を仮回転速度算出手段が仮回転速度として算出する。こうすることにより、検出限界時間の間に、必ず回転速度又は仮回転速度が算出されることになるため、これらの値を出力することで、必ず所定の値が回転速度検出装置から出力されることになる。このため、スクリューの回転速度が遅くなった場合であっても、出力される値の変化量を小さくすることができる。このため、回転速度検出装置から出力される値が、急激に変化することを未然に低減することができる。
【０００９】
本発明の回転速度検出装置において、前記検出限界時間は、直前の検出間隔時間の値の１０５％以上１１５％以下の値であることを特徴としてもよい。こうすれば、回転速度検出装置から出力される値の変化量が１０５％以上１１５％以下となるため、回転速度検出装置から出力される値が急激に変化することを未然に防ぐことができる。なお、１０５％以上１１５％以下に限定されるものではなく、例えば、１０７％以上１１２％以下であっても良いし、１１０％であってもよい。
【００１０】
本発明の回転速度検出装置において、複数の前記検出部は、前記スクリューの回転軸から等距離となる位置であって、かつ、隣接する前記被検出部同士がなす角度が等角となる位置に設けられていることを特徴としてもよい。こうすれば、ｎ個の被検出部が設けられている場合には、ｎ分の１回転分の回転により、スクリューの回転速度を算出することができる。言い換えると、回転速度を算出する際に、単一の被検出部を有する回転速度検出装置と比較して、ｎ分の１の時間で回転速度を算出することができるため、回転速度を素早く検出することができる。また、スクリューの回転速度が変化する場合であっても、ｎ分の１の距離で回転速度を検出することができるため、より高精度で回転速度を検出することができる。
【００１１】
本発明の回転速度検出装置では、前記算出手段は、前記回転速度を算出した際、前記回転速度が予め定められた正常回転速度範囲に含まれない場合には、光源を点灯することで異常を報知することを特徴としてもよい。こうすることにより、予め正常な回転速度範囲を定めておくことで、現在の回転速度が正常回転速度範囲に含まれているか否かを容易に報知することができる。
【００１２】
本発明のスクリューは、上述したいずれかに記載の回転速度装置と、スクリューと、を備えたことを特徴とする。このスクリューは、上述したいずれかに記載の回転速度装置を備えているため、上述した回転速度装置が有する効果、例えば、ｎ個の被検出部が設けられている場合に、ｎ分の１回転分の回転により、スクリューの回転速度を算出するという効果を得ることができる。
【００１３】
本発明の回転速度検出方法は、
スクリューの側面方向に突出し、前記スクリューと一体となって回転する複数の被検出部と、前記スクリューの回転に伴って、複数の前記被検出部をそれぞれ検出し、前記被検出部を検出したことを示す検出信号を出力する検出手段と、前記検出手段から出力された検出信号に基づいて、前記検出信号と連続する前記検出信号との間隔を検出間隔時間として算出する検出間隔時間算出手段と、連続する前記検出信号の間隔に基づいて前記スクリューの回転速度を算出する回転速度算出手段と、予め定めた所定の検出限界時間に基づいて、前記スクリューの回転速度を算出する仮回転速度算出手段と、を備えた、回転速度検出装置を用いて回転速度を検出する回転速度検出方法において、
前記被検出部の１つを検出した後、次に検出される前記被検出部の１つを検出するまでの時間を検出する検出ステップと、
複数の前記被検出部のうちの１つを検出した後に、前記検出限界時間前に他の前記被検出部を検出した場合には、前記回転速度算出手段を用いて前記スクリューの回転速度を算出し、前記検出限界時間後に他の被検出部を検出した場合には、前記検出限界時間経過時に前記仮回転速度算出手段を用いて前記スクリューの回転速度を算出する回転速度算出ステップと、
を含むことを特徴とする、
ものである。
【００１４】
この回転速度検出方法は、スクリューと一体となって回転する複数の被検出部を検出手段が検出して検出信号を発信すると、この検出信号の間隔に基づいて検出間隔時間算出手段が検出間隔時間を算出する。このとき、１の被検出部が検出されてから次の被検出部が検出されるまでの検出時間が予め定められた検出限界時間より短い場合には、検出間隔時間に基づいてスクリューの回転速度を算出し、１の被検出部が検出されてから次の被検出部が検出されるまでの検出時間が検出限界時間より長い場合には、検出限界時間経過時に検出限界時間に基づいてスクリューの仮の回転速度を仮回転速度算出手段が仮回転速度として算出する。こうすることにより、検出限界時間の間に、必ず回転速度又は仮回転速度が算出されることになるため、これらの値を出力することで、必ず所定の値が回転速度検出装置から出力されることになる。このため、スクリューの回転速度が遅くなった場合であっても、出力される値の変化量を小さくすることができる。このため、回転速度検出装置から出力される値が、急激に変化することを未然に低減することができる。
【００１５】
本発明の回転速度検出方法は、上述したいずれかの回転速度検出装置が備えている各種構成を備えていても良いし、また、上述したいずれかの回転速度検出装置の機能を実現するようなステップを追加しても良い。
【図面の簡単な説明】
【００１６】
【図１】図１は、スクリュー１０にとり付けられた回転速度検出装置２０の構成の概略を示す模式図である。
【図２】図２は、制御手段３０の電気的な接続の概略を示すブロック図である。
【図３】図３は、回転速度を算出するための回転速度算出処理ルーチンの１例を示すフローチャートである。
【図４】図４は、仮回転速度を算出するための仮回転速度算出処理ルーチンの１例を示すフローチャートである。
【発明を実施するための形態】
【００１７】
次に、本発明の実施の形態の一例として、回転速度検出装置２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号が付す。
【００１８】
回転速度検出装置２０は、図１に示すように、スクリュー１０の側面側に取り付けられる３つの被検出部２２ａ、被検出部２２ｂ及び被検出部２２ｃ（以下、「被検出部２２」とも言う。）と、被検出部２２を検出する検出手段２４と、検出手段２４から出力された検出信号に基づいて回転速度を回転する制御手段３０（図３参照）と、制御手段３０によって点灯及び消灯が制御される光源２６と、を備えている。こうすることにより、スクリュー１０の回転に伴って３つの被検出部２２が回転する際、検出手段２４によって被検出部２２が検出されることにより、スクリュー１０の回転を検出することができる。このとき、検出手段２４から出力された検出信号に基づいて制御手段３０で回転速度を算出し、予め定められた回転速度にあわせて光源２６を点灯及び消灯することができる。こうすることにより、スクリュー１０の回転速度を高精度で算出し、報知することができる。
【００１９】
被検出部２２は、図１に示すように、スクリュー１０の軸部分の側面側に、スクリュー１０の本体部から所定の距離だけ離れた位置に設けられている。また、被検出部２２ａと被検出部２２ｂとがなす角度及び被検出部２２ａと被検出部２２ｂとがなす角度は、それぞれ１２０°となる位置に被検出部２２はそれぞれ配置されている。言い換えると、それぞれの被検出部２２は、それぞれ等角度となる位置に配置されている。このため、スクリュー１０が等速度で回転した場合には、隣接する被検出部２２が検出される間隔は、等間隔となるように検出されることになる。
【００２０】
検出手段２４は、公知のパルスジェネレータであり、被検出部２２がスクリュー１０の回転に伴って回転する際に描く軌跡の外側となる位置であって、スクリュー１０といずれかの被検出部２２とを結ぶ直線の延長線上となる位置に配置される。この検出手段２４は、制御手段３０と電気的に接続されており、検出手段２４と対抗する位置に被検出部２２のいずれかが位置すると、検出信号を制御手段３０に発信する。このため、スクリュー１０が回転すると、スクリュー１０の回転に伴って、被検出部２２ａ、被検出部２２ｂ及び被検出部２２ｃの順に検出手段２４によってそれぞれの被検出部２２が検出され、検出信号が制御手段３０に送信される。
【００２１】
光源２６は、公知の赤色発光ダイオードであり、制御手段３０からの制御信号により、点灯及び消灯が制御される。なお、赤色発光ダイオードに限定されることなく、青色、緑色、白色等の種々の発光ダイオードを使用しても良いし、豆電球等の白熱灯等を使用しても良い。
【００２２】
制御手段３０は、図２に示すように、ＣＰＵ３１を中心とするマイクロプロセッサとして構成されており、各種プログラム（後述する回転速度算出処理ルーチン等）が記憶されたＲＯＭ３２と、検出手段２４から出力された検出信号や受信時間に関する情報等を一時的に記憶するＲＡＭ３３と、制御手段３０に設けられた各種回路等と通信を可能とするインタフェイス３４（以下、「Ｉ／Ｆ３４」という。）と、を備え、これらはバス３５を介して互いに信号のやりとりが可能なように接続されている。また、制御手段３０には、図示しないタイマカウンタや、各種入出力用のインタフェイスが設けられており、複数の各種信号の入出力が可能である。
【００２３】
次に、回転速度を算出する回転速度算出処理ルーチンについて、図３を用いて詳しく説明する。ここで、図３は、回転速度を算出するための回転速度算出処理ルーチンの一例を示すフローチャートであり、この回転速度算出処理ルーチンは、図示しない電源スイッチがＯＮとなり、制御手段３０に電力が供給された際に、ＲＯＭ３２から読み出され、ＣＰＵ３１によって実行される。この回転速度算出処理ルーチンが実行されると、図３に示すように、ＣＰＵ３１からの命令に従って、ＲＡＭ３３の所定領域に初期値が設定される（ステップＳ１１０）。具体的には、第１受信時刻の初期値として変数ＦＴに図示しないタイマカウンタより取得した現時刻を、検出限界時間の初期値として変数ＬＩＭに値４を、それぞれ代入する。
【００２４】
次に、ＣＰＵ３１は、検出手段２４から出力された検出信号を受信したか否かを判定する（ステップＳ１２０）。ここで、ＣＰＵ３１が検出信号を受信していないと判定した場合には、検出信号を受信するまで所定時間待機する。
【００２５】
一方、ステップＳ１２０において、ＣＰＵ３１が検出信号を受信したと判定した場合には、図示しないタイマカウンタより現時刻を取得し、第２受信時刻として変数ＳＴに図示しないタイマカウンタより取得した現時刻を代入し、ＲＡＭ３３に記憶する（ステップＳ１３０）。続いて、ＣＰＵ３１は、ＲＡＭ３３から変数ＳＴの値及び変数ＦＴの値をそれぞれ読み出し、変数ＳＴの値から変数ＦＴの値を減算することによって検出信号と検出信号の間隔である検出間隔時間を算出し（ステップＳ１５０）、この間隔に基づいて回転速度を算出する（ステップＳ１６０）。具体的には、検出間隔時間はスクリュー１０が３分の１回転するために必要な時間に相当することから、検出間隔時間の値に３を乗じた値の逆数を算出することで、回転速度である回毎分（ｒｐｍ）を算出する。
【００２６】
次に、ＣＰＵ３１は、ステップＳ１６０で算出した回転速度が１１ｒｐｍ以上であるか否かを判定し（ステップＳ１７０）、回転速度が１１ｒｐｍであると判定した場合には、ＣＰＵ３１は、０．５秒ごとに０．１秒間点灯するように光源２６を制御する（ステップＳ１８０）。なお、ここで光源２６を制御する制御方法については、種々の制御方法で実行することが可能であり、例えば、０．５秒毎に０．１秒間光源２６に電力を供給してもよいし、光源２６のＯＮ及びＯＦＦを切り替える図示しないスイッチを０．５秒ごとに０．１秒間ＯＮにしてもよい。
【００２７】
ＣＰＵ３１がステップＳ１７０において、ステップＳ１６０で算出した回転速度が１１ｒｐｍ未満であると判定した場合には、この回転速度が１以上１０以下であるか否かを判定し（ステップＳ１９０）、回転速度が１以上１０以下であると判定した場合には、ＣＰＵ３１は、１秒ごとに０．１秒間点灯するように光源２６を制御する（ステップＳ２００）。なお、光源２６を制御する制御方法は、ステップＳ１８０と同様の方法で行うことができる。
【００２８】
ＣＰＵ３１がステップＳ１９０において、ステップＳ１６０で算出した回転速度が１未満であると判定した場合には、ＣＰＵ３１は、ステップＳ１６０で算出した回転速度が０であるか否かを判定し（ステップＳ２１０）、回転速度が０であると判定した場合には、ＣＰＵ３１は、２秒ごとに０．１秒間点灯するように光源２６を制御する（ステップＳ２２０）。なお、光源２６を制御する制御方法は、ステップＳ１８０と同様の方法で行うことができる。
【００２９】
一方、ＣＰＵ３１は、ステップＳ１８０、ステップＳ２００及びステップＳ２２０終了後には、図示しない電源がＯＦＦであるか否かを判定し（ステップＳ２３０）、電源がＯＮの場合には、再びステップＳ１２０を実行する。こうすることにより、電源がＯＮである限り、繰り返し回転速度を検出することができる。また、ステップＳ２３０において、電源がＯＦＦであるとＣＰＵ３１が判定した場合には、本ルーチンを終了する。
【００３０】
このように、回転速度に応じて光源２６が点灯する間隔を変えることにより、光源２６が点灯する間隔によって、回転速度がどの程度であるかを報知することができる。このとき、スクリュー１０が３文の１回転毎に回転速度を算出するため、スクリュー１０が１回転毎に回転速度を検知する場合と比較して、高精度で検知することができる。
【００３１】
次に、回転速度算出処理ルーチンへの割り込み処理である仮回転速度算出処理ルーチンについて説明する。ここで、図４は、仮回転速度算出処理ルーチンの１例を示すフローチャートである。この仮回転速度算出処理ルーチンは、ＣＰＵ３１が最後に検出信号を受信してから検出限界時間が経過するまでに次の検出信号を受信できなかった場合に、検出限界時間経過時に回転速度算出処理ルーチンに割り込んで繰り返し実行され、仮回転速度算出処理ルーチンが終了した際には、回転速度算出処理ルーチンのステップＳ１２０から再度実行される。
【００３２】
この仮回転速度算出処理ルーチンが実行されると、ＣＰＵ３１は、仮回転速度を算出する（ステップＳ３１０）。具体的には、検出限界時間をスクリュー１０が３分の１回転するために必要な時間として、検出限界時間から第１受信時刻を減算した値に３を乗じた値の逆数を算出することで、仮回転速度として回毎分（ｒｐｍ）を算出する。
【００３３】
次に、ＣＰＵ３１は、ステップＳ１６０で算出した回転速度が１１ｒｐｍ以上であるか否かを判定し（ステップＳ３２０）、回転速度が１１ｒｐｍであると判定した場合には、ＣＰＵ３１は、０．５秒ごとに０．１秒間点灯するように光源２６を制御して（ステップＳ３３０）、本ルーチンを終了する。なお、ステップＳ３２０からステップＳ３７０については、ステップＳ１７０からステップＳ２２０とそれぞれ同様であるため、ここでは説明を省略する。
【００３４】
このように、最後に検出信号を受信してから検出限界時間を経過するまでに次の検出信号を受信できなかった場合には、次の検出信号の受信を待つことなく、検出限界時間に基づいて仮回転速度を算出し、この仮回転速度に基づいて報知することで、回転速度が低下している場合に、回転速度が低下することをより早く報知することができる。言い換えると、より高速で、かつ、高精度に回転速度を検出することができる。
【００３５】
以上詳述した本実施の形態の回転速度検出装置によれば、スクリュー１０と一体となって回転する被検出部２２を検出手段２４が検出して検出信号を発信すると、この検出信号を受信し（ステップＳ１２０）、検出信号の間隔時間を算出する（ステップＳ１４０）。このとき、先の被検出部２２が検出されてから次の被検出部２２が検出されるまでの検出時間が予め定められた検出限界時間より短い場合には、回転速度が算出される（ステップＳ１５０）。一方、検出時間が検出限界時間より長い場合には、検出限界時間経過時に、仮回転速度算出処理ルーチンがＣＰＵ３１によって割り込み処理され、仮回転速度が算出される（ステップＳ３１０）。こうすることにより、スクリューの回転速度が遅くなった場合であっても、被検出部３３が検出される間隔が長くなり、回転速度が算出される間隔が長くなることを未然に防止し、回転速度検出装置２０から出力される値が急激に変化する可能性を未然に低減することができる。
【００３６】
また、被検出部２２は、スクリュー１０の回転軸を中心として等距離で、かつ、等間隔となる位置に３つ設けられており、これらの被検出部２２が検出手段２４によってそれぞれ検出されることで、検出手段２４から制御手段３０に検出信号が出力される。この検出信号に基づいて回転速度検出処理ルーチンで回転速度が算出されるため、被検出部２２が一つの場合と比較して、より高精度で回転速度を検出することができる。
【００３７】
更に、回転速度検出処理ルーチンで算出された回転速度が１１ｒｐｍ以上の場合、１〜１０ｒｐｍの場合及び０ｒｐｍの場合のそれぞれの場合において、異なる間隔で光源２６を点灯させることにより、光源２６の点灯間隔を視認することで、容易にスクリュー１０の回転速度を確認することができる。
【００３８】
更にまた、スクリュー１０と一体となって回転する被検出部２２がスクリュー１０の回転軸を中心として等距離で、かつ、等間隔となる位置に３つ設けられており、これらの被検出部２２が検出手段２４によってそれぞれ検出されることで、検出手段２４から制御手段３０に検出信号が出力される。この検出信号に基づいて回転速度検出処理ルーチンで回転速度が算出されるため、スクリュー１０が３分の１回転する毎に回転速度を算出することができる。このため、回転速度を高速、かつ、高精度で検出することができる。
【００３９】
なお、本発明は上述した実施形態に何ら限定されることはなく、本発明の技術的範囲に属する限り種々の態様で実施し得ることはいうまでもない。
【００４０】
例えば、上述した実施の形態では、検出限界時間を予め定めておくこととしたが、検出間隔時間の値の１０５％以上１１５％以下の値に定めても良い。具体的には、ステップＳ１４０において、検出間隔時間を算出した際に、この検出間隔時間の値の１０５％以上１１５％以下の値を乗算して得られた値を変数ＬＩＭの値に代入するステップを追加しても良い。こうすれば、検出限界時間の値が、常に直前の検出間隔時間の１０５％以上１１５％以下となるため、検出間隔が大きく変化することを未然に防ぐことができる。
【００４１】
上述した実施の形態では、被検出部２２が３つ設けられているものとしたが、この数は３つに限定されるものではなく、２つであっても良いし、４以上であってもよい。被検出部２２の数が多くなればなるほど、より高速、かつ、高精度で回転速度を検出することができる。
【００４２】
上述した実施の形態では、検出手段２４は１つ設けられているものとしたが、複数設けられていても良い。このような場合には、複数の検出手段２４からの検出信号に基づいてそれぞれ回転速度を検出することができるため、検出手段２４に不具合が発生した場合であっても、高精度で回転速度を検出することができる。
【００４３】
上述した実施の形態では、回転速度が１１ｒｐｍ以上、１〜１０ｒｐｍ、０ｒｐｍの３種類に分けて光源２６を点灯させるものとしたが、回転速度はこれらの回転速度に限定されるものではなく、適宜所望の回転速度を設定することができる。また、３種類に限定されるものではなく、２種類であってもよし、４種類以上であってもよい。いずれの場合であっても、上述した実施の形態と同様の効果が得られる。
【００４４】
上述した実施の形態において、光源２６を点灯させる時間を０．１秒としたが、これに限定されるものではなく、適宜所望の時間を点灯させることができる。また、点灯する間隔も、０．５秒ごと、１秒ごと、２秒ごとに限定されるものではなく、適宜所望の間隔であってもよい。いずれの場合であっても、上述した実施の形態と同様の効果が得られる。
【産業上の利用可能性】
【００４５】
上述した実施の形態で示すように、回転速度の測定分野、特に、回転速度を高精度で測定する測定装置として利用することができる。
【符号の説明】
【００４６】
１０…スクリュー、２０…回転速度検出装置、２２…被検出部、２２ａ…被検出部、２２ｂ…被検出部、２２ｃ…被検出部、２４…検出部、２６…光源、３０…制御手段、３１…ＣＰＵ、３２…ＲＯＭ、３３…ＲＡＭ、３４…インタフェイス、３５…バス。
【図１】
2015166687.tif 000003
【図２】
2015166687.tif 000004
【図３】
2015166687.tif 000005
【図４】
2015166687.tif 000006